(57)【特許請求の範囲】
【請求項１】
スイッチ本体の前面を覆うように前記スイッチ本体に取り付けられ、少なくとも一部に光透過性の窓部を有するハンドル本体と、
開口部を有し、前記窓部を前記開口部から露出させるように前記ハンドル本体の後面に固定され、前記ハンドル本体よりも軟質である固定部材と、
扉部と、
前記扉部が前記窓部の後面を覆う閉位置と前記扉部が前記窓部の前記後面を覆わない開位置との間で前記扉部が回転可能となるように、前記扉部を前記固定部材に連結するヒンジ部と、
を備えるスイッチ用ハンドル。
【請求項２】
前記固定部材と前記扉部と前記ヒンジ部とは一体に形成され、
前記ヒンジ部は、前記ハンドル本体よりも軟質であって前記固定部材よりも薄い薄肉部を有する
請求項１に記載のスイッチ用ハンドル。
【請求項３】
前記扉部は前記ハンドル本体よりも軟質である
請求項１又は２に記載のスイッチ用ハンドル。
【請求項４】
所定方向の両端である第１端及び第２端を有し、前記所定方向において前記第１端と前記第２端との間に前記窓部の少なくとも一部が位置するように前記ハンドル本体と前記スイッチ本体との間に配置され、前記扉部が前記閉位置に位置する状態で前記第１端の後面に入射した光を前記第２端の前面から出射させる導光部材と、
前記ハンドル本体のうち前記第２端に対応する部位に設けられ、前記第２端の前記前面から出射される光を前記ハンドル本体の前面から前方に出射する表示部と、を更に備え、
前記導光部材は、前記扉部が前記閉位置に位置する状態で前記扉部の後面に固定されている
請求項１〜３のいずれか１項に記載のスイッチ用ハンドル。
【請求項５】
前記固定部材は、前記ハンドル本体の前記後面に設けられた３つ以上の結合部にて、前記ハンドル本体の前記後面に固定されており、
前記３つ以上の結合部は一直線上に並ばないように配置されている
請求項１〜４のいずれか１項に記載のスイッチ用ハンドル。
【請求項６】
請求項１〜５のいずれか１項に記載のスイッチ用ハンドルと、
前記スイッチ本体と、
を備えるスイッチ。
【発明の詳細な説明】
【技術分野】
【０００１】
本発明は、スイッチ用ハンドル及びスイッチに関する。
【背景技術】
【０００２】
特許文献１は、スイッチ本体と、スイッチ本体の前面側に配置されたスイッチ用ハンドルとを備えるスイッチを開示する。スイッチ本体は、器体の前面側に設けた押釦ハンドルの押圧操作により切り換わる接点部を器体内に有している。スイッチ用ハンドルは、押釦ハンドルに対向するハンドル本体を備えている。ハンドル本体は、一端部に設けられた第１の軸受部がスイッチ本体の器体に枢着される。スイッチ用ハンドルは、押釦ハンドルを押し込むためのピアノハンドルである。
【０００３】
また、ハンドル本体に矩形状のカード取付窓が形成されている。カード取付窓の前方には透明のカードカバー部が設けられ、カード取付窓の後方には扉部（扉）が設けられる。カード取付窓におけるカードカバー部と扉部との間には、スイッチ本体を用いる回路に関連した名称（負荷名や場所名）が表記されたネームカードが保持される。扉部は、扉部の軸体をハンドル本体の後面に設けられた第２の軸受部に嵌め込むことによって、ハンドル本体に回転可能に取り付けられている。
【先行技術文献】
【特許文献】
【０００４】
【特許文献１】特開２００３−３１７５６２号公報
【発明の概要】
【発明が解決しようとする課題】
【０００５】
しかし、特許文献１に記載のスイッチ用ハンドルにおいては、扉部の軸体がハンドル本体の第２の軸受部に嵌め込まれることにより、扉部がハンドル本体に直接的に取り付けられている。したがって、第２の軸受部及び軸体の寸法誤差により、ハンドル本体に対する扉部の取付強度が不十分となる可能性がある。
【０００６】
本発明は上記事由に鑑みてなされており、ハンドル本体に対する扉部の取付強度が向上するスイッチ用ハンドル及びスイッチを提供することを目的とする。
【課題を解決するための手段】
【０００７】
本発明の一態様に係るスイッチ用ハンドルは、スイッチ本体の前面を覆うように前記スイッチ本体に取り付けられ、少なくとも一部に光透過性の窓部を有するハンドル本体と、開口部を有し、前記窓部を前記開口部から露出させるように前記ハンドル本体の後面に固定され、前記ハンドル本体よりも軟質である固定部材と、扉部と、前記扉部が前記窓部の後面を覆う閉位置と前記扉部が前記窓部の前記後面を覆わない開位置との間で前記扉部が回転可能となるように、前記扉部を前記固定部材に連結するヒンジ部と、を備える。
【０００８】
本発明の一態様に係るスイッチは、前記スイッチ用ハンドルと、前記スイッチ本体と、を備える。
【発明の効果】
【０００９】
本発明は、ハンドル本体に対する扉部の取付強度が向上する、という利点がある。
【図面の簡単な説明】
【００１０】
【図１】図１は、本発明の一実施形態に係るスイッチ用ハンドルの前方から見た分解斜視図である。
【図２】図２は、本発明の一実施形態に係るスイッチの前方から見た分解斜視図である。
【図３】図３は、同上のスイッチ用ハンドルの後方から見た分解斜視図である。
【図４】図４は、同上のスイッチ用ハンドルの後方から見た斜視図である。
【図５】図５Ａは、同上のスイッチ用ハンドルの断面図であって、扉部が閉位置に位置している。図５Ｂは、同上のスイッチ用ハンドルの断面図であって、扉部が開位置に位置している。
【図６】図６は、同上のスイッチ用ハンドルの要部の断面図であって、扉部が閉位置に位置している。
【図７】図７は、同上のスイッチのスイッチ本体の内部構成の回路図である。
【図８】図８は、同上のスイッチの取付構造の前方から見た分解斜視図である。
【発明を実施するための形態】
【００１１】
以下の実施形態は、スイッチ用ハンドル及びスイッチに関し、とくにスイッチ本体の前面を覆うようにスイッチ本体に取り付けられるスイッチ用ハンドル、及びこのスイッチ用ハンドルを備えたスイッチに関する。
【００１２】
（１）概要
本実施形態に係るスイッチ用ハンドル１０は、図１に示すように、ハンドル本体１と、固定部材２と、扉部３と、ヒンジ部４と、を備えている。
【００１３】
ハンドル本体１は、スイッチ本体９（図２参照）の前面９１（図２参照）を覆うようにスイッチ本体９に取り付けられる。ハンドル本体１は、少なくとも一部に光透過性の窓部１１を有する。
【００１４】
固定部材２は、開口部２１を有し、窓部１１を開口部２１から露出させるようにハンドル本体１の後面１２（図３参照）に固定される。
【００１５】
ヒンジ部４は、閉位置と開位置との間で扉部３が回転可能となるように、扉部３を固定部材２に連結する。閉位置は、扉部３が窓部１１の後面１１１（図３参照）を覆う位置である。開位置は、扉部３が窓部１１の後面１１１を覆わない位置である。
【００１６】
固定部材２は、ハンドル本体１よりも軟質である。
【００１７】
ここで、扉部３は、閉位置において窓部１１の後面１１１の少なくとも一部を覆っていればよく、窓部１１の後面１１１を完全に覆い隠す必要はない。
【００１８】
すなわち、スイッチ用ハンドル１０においては、扉部３は、ハンドル本体１に直接的に取り付けられるのではなく、ヒンジ部４及び固定部材２を介して、ハンドル本体１に取り付けられている。固定部材２は、窓部１１を開口部２１から露出させるようにハンドル本体１の後面１２に固定されるので、窓部１１の周囲における比較的広範囲においてハンドル本体１に固定可能である。しかも、固定部材２はハンドル本体１よりも軟質であるので、固定部材２の多少の寸法誤差は固定部材２が変形することで吸収できる。そのため、固定部材２に寸法誤差が生じても、ハンドル本体１に対する固定部材２の取付強度の低下が抑制される。したがって、スイッチ用ハンドル１０においては、ハンドル本体１に対する扉部３の取付強度が向上する、という利点がある。
【００１９】
また、本実施形態に係るスイッチ１００は、図２に示すように、スイッチ用ハンドル１０と、スイッチ本体９と、を備えている。スイッチ用ハンドル１０は、スイッチ本体９の前面９１を覆うように、スイッチ本体９の前面９１側に取り付けられる。
【００２０】
スイッチ本体９は、前面９１に押釦ハンドル９２を有している。さらに、スイッチ本体９は、前面９１の一端部に軸部９３を有している。スイッチ用ハンドル１０は、軸部９３を中心に回転可能となるように、軸部９３に取り付けられる。これにより、スイッチ用ハンドル１０が押操作されると、スイッチ用ハンドル１０が軸部９３を中心に回転し、スイッチ用ハンドル１０にて押釦ハンドル９２が後方に押し込まれる。ここでいう「押操作」は、スイッチ用ハンドル１０の軸部９３とは反対側の端部を後方に押し込む操作である。つまり、スイッチ用ハンドル１０は、押釦ハンドル９２を押し込むためのピアノハンドルである。
【００２１】
ところで、スイッチ用ハンドル１０において、扉部３が閉位置に位置する状態では、光透過性の窓部１１の後面１１１と扉部３の前面３１との間に、ネームカード５１を収納するためのラベル収納空間５（図５Ａ参照）が存在する。ネームカード５１は、例えば、紙製又は合成樹脂製のラベルやシールである。ネームカード５１には、必要に応じて、例えば「リビング」、「玄関照明」又は「門灯」のように、スイッチ本体９に対応する回路を特定するための情報（負荷名又は場所名など）が表記される。本実施形態では、ネームカード５１はスイッチ用ハンドル１０の構成要素に含まれないが、ネームカード５１はスイッチ用ハンドル１０の構成要素に含まれてもよい。
【００２２】
ここでいう「光透過性」とは、透光性又は透明の意味であって、少なくとも可視光を透過する性質を意味する。とくに、窓部１１を通してネームカード５１に表記された情報を明確に視認できるように、窓部１１の材料は、透過光の拡散が生じにくい透明な性質であることが好ましい。
【００２３】
ネームカード５１をラベル収納空間５に出し入れするためには、扉部３を開位置にする必要があるが、スイッチ用ハンドル１０がスイッチ本体９に取り付けられた状態では、扉部３を開位置に移動させることが難しい。つまり、ラベル収納空間５へのネームカード５１の出し入れは、スイッチ用ハンドル１０がスイッチ本体９に取り付けられていない状態で行われる。
【００２４】
以下では、特に断りがない限り、スイッチ用ハンドル１０がスイッチ本体９に取り付けられ、扉部３が閉位置に位置する状態について説明する。
【００２５】
（２）詳細
以下、スイッチ１００が住宅等の建物の壁に取り付けられて使用される場合を想定して説明する。以下、特に断りがない限り、壁に取り付けられた状態のスイッチ１００を正面から見たときの上、下、左、右を、それぞれ上、下、左、右として、各方向を規定する。また、壁面に直交する方向を前後方向とし、スイッチ本体９の前面９１が向いている向きを前方として説明する。つまり、図１等において、「上」、「下」、「左」、「右」、「前」、「後」の矢印で示す通りに、上、下、左、右、前、後の各方向を規定する。ただし、これらの方向はスイッチ用ハンドル１０及びスイッチ１００の使用方向を規定する趣旨ではない。つまり、スイッチ本体９の前面９１が前方を向いていることは必須ではなく、例えばスイッチ１００が天井に取り付けられ、スイッチ本体９の前面９１が下方を向いた状態で使用されてもよい。また、図面中の各方向を示す矢印は説明のために表記しているに過ぎず、実体を伴わない。
【００２６】
（２．１）スイッチ
まず、スイッチ１００の全体構成について、図２を参照して説明する。
【００２７】
スイッチ１００は、スイッチ本体９と、スイッチ本体９の前面９１を覆うようにスイッチ本体９に取り付けられるスイッチ用ハンドル１０と、を備えている。スイッチ１００は、取付枠８１（図８参照）を用いて建物の壁に取り付けられる。スイッチ１００は、埋込型のスイッチである。そのため、スイッチ用ハンドル１０の前面が露出し、かつスイッチ本体９の少なくとも一部が壁内に埋め込まれるように、スイッチ１００が壁に取り付けられる。
【００２８】
スイッチ本体９は、上下方向よりも左右方向に長い直方体状の器体９４を有している。器体９４の形状及び大きさは規格化されている。器体９４は、取付枠８１に３個まで取付可能な大きさに形成されている。器体９４の前面はスイッチ本体９の前面９１である。
【００２９】
前面９１の左端部には、一対の軸部９３が上下方向に並べて設けられている。各軸部９３は、上下方向を軸方向とする円柱状に形成されている。スイッチ本体９は、一対の軸部９３にてスイッチ用ハンドル１０を回転可能に保持する。これにより、スイッチ本体９にスイッチ用ハンドル１０が取り付けられた状態で、スイッチ用ハンドル１０は一対の軸部９３を中心に回転可能となる。
【００３０】
また、スイッチ本体９は、押釦ハンドル９２及び接点９０１（図７参照）を有している。押釦ハンドル９２は、前面９１の中心に対して右寄りの位置に配置されている。つまり、押釦ハンドル９２は、一対の軸部９３の右側に位置する。押釦ハンドル９２は、前面９１に対して前後方向に移動可能である。接点９０１は、器体９４内に収納されている。スイッチ本体９においては、押釦ハンドル９２が後方に押し込まれる度に、接点９０１のオン／オフが切り替わる。
【００３１】
接点９０１は、交流電源と負荷（例えば照明器具）との間に電気的に接続される。これにより、スイッチ本体９において接点９０１のオン／オフが切り替わると、交流電源から負荷への通電／非通電が切り替わる。つまり、スイッチ１００は、負荷の通電状態の切り替えを行う。
【００３２】
前面９１の右端部には、一対の保持孔９６が上下方向に並べて形成されている。一対の保持孔９６は、押釦ハンドル９２の右側に位置する。スイッチ本体９にスイッチ用ハンドル１０が取り付けられた状態では、スイッチ用ハンドル１０に設けられた一対の保持片１４２が一対の保持孔９６内に挿入され、一対の保持片１４２の先端が一対の保持孔９６の内周面に引っ掛かる。これにより、スイッチ用ハンドル１０の回転範囲が規制される。つまり、一対の保持片１４２が保持孔９６から抜けなくなるから、スイッチ用ハンドル１０の回転範囲が規制される。
【００３３】
器体９４の右側面及び左側面には、取付枠８１に器体９４を取り付けるための引掛爪９７が一対ずつ設けられている。
【００３４】
前面９１の左端部であって一対の軸部９３の間には、光透過性のライトカバー９５が設けられている。器体９４の内部においてライトカバー９５の後方には、第１光源９０２（図７参照）及び第２光源９０３（図７参照）が設けられている。そのため、第１光源９０２又は第２光源９０３が点灯することにより、ライトカバー９５の前面から光が放射される。つまり、第１光源９０２、第２光源９０３及びライトカバー９５が、スイッチ本体９の発光部として機能する。本実施形態では、接点９０１のオン／オフ、つまり負荷の通電状態に応じて、第１光源９０２又は第２光源９０３の点灯状態が変化し、スイッチ本体９の発光部の発光状態（例えば発光色）が変化する。一例として、非通電時には、スイッチ本体９の発光部が白色に発光する。一方、通電時には、スイッチ本体９の発光部が赤色に発光する。
【００３５】
（２．２）スイッチ用ハンドル
次に、スイッチ用ハンドル１０の構成について、図１〜図６を参照して説明する。
【００３６】
スイッチ用ハンドル１０は、図１及び図２に示すように、ハンドル本体１と、フレーム部材２０と、導光部材６と、レンズ７と、を備えている。フレーム部材２０は、固定部材２と、扉部３と、ヒンジ部４と、を有している。
【００３７】
ハンドル本体１は、スイッチ本体９の前面９１を覆うようにスイッチ本体９に取り付けられる。ハンドル本体１は、合成樹脂製であって、例えばポリカーボネート等の硬質プラスチック（rigid plastic）からなる。ハンドル本体１は、矩形板状である。ハンドル本体１の前面１３は、上下方向よりも左右方向に長い長方形状であって、上下方向及び左右方向のいずれの寸法も押釦ハンドル９２の前面より大きい。
【００３８】
ハンドル本体１の一部には、光透過性の窓部１１が設けられている。窓部１１は、正面視において上下方向よりも左右方向に長い長方形状である。窓部１１は、ハンドル本体１の前面１３の中心に対して左寄りの位置に配置されている。窓部１１が設けられることにより、ハンドル本体１の後方に配置されるネームカード５１が、ハンドル本体１の前方から視認可能となる。
【００３９】
ハンドル本体１は、支持部材１４と、カバー部材１５と、を有している。支持部材１４は、窓孔１４１を有する矩形枠状である。支持部材１４は、スイッチ本体９に取り付けられる。カバー部材１５は、外周形状が支持部材１４と同じである。カバー部材１５は、支持部材１４の前面を完全に覆うように、支持部材１４の前面に配置されている。これにより、支持部材１４は、カバー部材１５を支持する。カバー部材１５は、少なくとも窓孔１４１を覆う光透過性の部位を有している。支持部材１４の後面は、ハンドル本体１の後面１２である。カバー部材１５の前面は、ハンドル本体１の前面１３である。
【００４０】
ここでは、支持部材１４とカバー部材１５とは、二色成形により一体に形成されている。すなわち、ハンドル本体１は、互いに材料の異なる２つの部分からなり、一方の部分が支持部材１４であり、他方の部分がカバー部材１５である。支持部材１４は顔料が混入された不透明の材料からなる。これに対して、カバー部材１５は透明の材料からなるため、カバー部材１５の全体が光透過性を有している。そして、カバー部材１５のうち、窓孔１４１を覆っている部位が窓部１１を構成する。ハンドル本体１の前面１３には、窓部１１の前面を除いてシボ加工が施されている。なお、ハンドル本体１は、ポリカーボネート製に限らず、例えば、支持部材１４がＡＢＳ樹脂製又はＰＣ−ＡＢＳ樹脂製であって、カバー部材１５がアクリル樹脂製であってもよい。
【００４１】
支持部材１４の後面、つまりハンドル本体１の後面１２の右端部には、図３及び図４に示すように、一対の保持片１４２が設けられている。一対の保持片１４２は、各々、ハンドル本体１の後面１２から後方に突出し、先端部が右方に延長された形状である。また、ハンドル本体１の後面１２の左端部には、軸受部１４３が設けられている。軸受部１４３は、後面１２から後方に突出した形状である。軸受部１４３には、後面が開口した軸受凹所１４４が形成されている。軸受凹所１４４には、板ばね１４５が収納される。
【００４２】
ハンドル本体１がスイッチ本体９に取り付けられた状態では、軸受部１４３の軸受凹所１４４にスイッチ本体９の一対の軸部９３が挿入され、一対の保持片１４２がスイッチ本体９の一対の保持孔９６に挿入される。一対の軸部９３は、板ばね１４５によって軸受凹所１４４内に保持される。すなわち、軸受部１４３に一対の軸部９３が嵌まり込むようにして、ハンドル本体１がスイッチ本体９に取り付けられる。これにより、ハンドル本体１は、スイッチ本体９に取り付けられた状態で、左端部を中心に回転して、右端部が前後方向に移動可能となる。
【００４３】
以下では、ハンドル本体１の右端部が可動範囲の前端に位置するときのハンドル本体１の位置を「定常位置」と呼び、ハンドル本体１の右端部が可動範囲の後端に位置にするときのハンドル本体１の位置を「操作位置」と呼ぶ。スイッチ用ハンドル１０が押操作されていない状態では、板ばね１４５によって、ハンドル本体１は定常位置に位置する。スイッチ用ハンドル１０が押操作されると、板ばね１４５を弾性変形させながら、ハンドル本体１は操作位置に移動する。スイッチ用ハンドル１０を押操作する力が無くなると、板ばね１４５の弾性力によって、ハンドル本体１は定常位置に移動する。
【００４４】
また、ハンドル本体１の後面１２のうち窓孔１４１を含む所定範囲には、後面が開口した凹所１４６が形成されている。凹所１４６は、開口面が窓孔１４１よりも一回り大きい。言い換えれば、窓孔１４１は凹所１４６の底面に形成されている。凹所１４６の内周面には、ネームカード５１を凹所１４６内に仮保持するための仮保持突起１４７が複数（本実施形態では５つ）設けられている。
【００４５】
ハンドル本体１の後面１２において、凹所１４６の上下方向の両側には、一対の押込部１４８が設けられている。一対の押込部１４８は、各々、後面１２から後方に突出している。一対の押込部１４８は、上下方向において凹所１４６を挟んで対向する一対の矩形板である。一対の押込部１４８のうち互いに対向する一対の面は、各々、凹所１４６の内周面と面一に形成されている。ハンドル本体１がスイッチ本体９に取り付けられた状態では、一対の押込部１４８の先端面（後面）は押釦ハンドル９２の前面に対向する。したがって、スイッチ用ハンドル１０が押操作されてハンドル本体１が定常位置から操作位置に移動すると、押釦ハンドル９２は一対の押込部１４８にて後方に押し込まれる。
【００４６】
一対の押込部１４８のうち、上側の押込部１４８の下面には、下方に隆起した接触面１７（図６参照）が形成されている。接触面１７について詳しくは後述する。
【００４７】
また、ハンドル本体１の後面１２には、固定部材２をハンドル本体１に固定するための複数（本実施形態では４つ）の結合部１４９が設けられている。複数の結合部１４９は、後面１２のうち、凹所１４６の周囲であって、一対の保持片１４２及び軸受部１４３で囲まれた矩形枠状の領域の四隅に配置されている。つまり、複数の結合部１４９は、上下方向と左右方向の２方向に並んでいるのであって、一直線上には並ばないように配置されている。複数の結合部１４９は、各々、三又形状であって、先端部（後端部）が左右方向において３つに分割されている。
【００４８】
また、ハンドル本体１において、左右方向における窓部１１と一対の保持片１４２との間には、ハンドル本体１にレンズ７を取り付けるための貫通孔１６が形成されている。貫通孔１６は、ハンドル本体１を前後方向に貫通する。貫通孔１６の開口面は、左右方向よりも上下方向に長い長円形状である。
【００４９】
固定部材２は、図３及び図４に示すように、開口部２１を有する矩形枠状である。固定部材２の外周形状は、ハンドル本体１の後面１２よりも一回り小さい。開口部２１の開口面は凹所１４６の開口面よりも一回り大きい。また、固定部材２は、ハンドル本体１の後面１２のうち凹所１４６及び貫通孔１６が形成された領域の周囲に固定される。つまり、固定部材２は、窓部１１及び貫通孔１６を開口部２１から露出させるようにハンドル本体１の後面１２に固定される。ここでは、ハンドル本体１の後面１２のうち、固定部材２が固定される領域の周囲には、後方に突出する周壁１８が形成されている。固定部材２の外周形状は、周壁１８の内周形状と略同じである。
【００５０】
固定部材２には、固定部材２をハンドル本体１に固定するための複数（本実施形態では４つ）の結合孔２２が形成されている。複数の結合孔２２は、ハンドル本体１の後面１２に設けられた複数の結合部１４９に対応するように、固定部材２の四隅に形成されている。固定部材２がハンドル本体１の後面１２に取り付けられた状態では、図４に示すように、複数の結合部１４９が複数の結合孔２２にそれぞれ挿入され、複数の結合部１４９の先端部（後端部）は固定部材２の後面から後方に突出する。この状態で、複数の結合部１４９の先端部（後端部）がかしめられる（潰される）と、複数の結合部１４９が複数の結合孔２２から抜け止めされ、固定部材２がハンドル本体１の後面１２に固定される。これにより、固定部材２は、複数箇所（本実形態では４箇所）でハンドル本体１に結合される。
【００５１】
扉部３は、矩形板状である。扉部３の前面３１は、上下方向よりも左右方向に長い長方形状であって、上下方向及び左右方向のいずれの寸法も開口部２１の開口面より小さい。扉部３は、窓部１１の後面１１１を覆う閉位置（図５Ａ参照）と、窓部１１の後面１１１を覆わない開位置（図５Ｂ参照）との間で、移動可能である。扉部３の前面３１は、扉部３が閉位置にあるときに、窓部１１の後面１１１と対向する面である。扉部３の後面３２は、扉部３が閉位置にあるときに、スイッチ本体９の前面９１と対向する面、つまり前面３１とは反対側の面である。
【００５２】
扉部３が閉位置に位置する状態では、扉部３は固定部材２の開口部２１内に位置する。この状態で、扉部３の前面３１は固定部材２の前面よりも前方に突出する。さらに、扉部３の前面１３は、上下方向及び左右方向のいずれの寸法も凹所１４６の開口面より、やや小さい。また、扉部３は、凹所１４６に対応するように、開口部２１の中心に対して左寄りの位置に配置されている。これにより、扉部３が閉位置に位置する状態では、扉部３の前端部が凹所１４６内に挿入され、凹所１４６の開口が扉部３にて塞がれる。
【００５３】
扉部３の後面３２には、扉部３に導光部材６を取り付けるための保持溝３３が形成されている。保持溝３３は、左右方向に延びる溝であって、後方及び右方に開放されている。保持溝３３の内周面には、複数（本実施形態では４つ）の側溝３４が形成されている。複数の側溝３４は、保持溝３３の内周面のうち上下方向に対向する２つの面に、２つずつ形成されている。複数の側溝３４は、各々、扉部３を前後方向に貫通する。複数の側溝３４内には、導光部材６を保持溝３３内に保持するための複数の保持爪３５が設けられている。
【００５４】
また、扉部３は、規定方向の両端部である基端部３６及び先端部３７を有している。本実施形態では、規定方向は上下方向であり、基端部３６は扉部３の下端部、先端部３７は扉部３の上端部である。先端部３７には、基端部３６から離れる向き（上向き）に突出する第１突起部３８が設けられている。さらに、先端部３７には、基端部３６から離れる向き（上向き）に突出する第２突起部３９が設けられている。第１突起部３８は、作業者が扉部３を閉位置から開位置に移動させる際に、作業者が手指を掛けるための突起である。第２突起部３９は、扉部３が閉位置に位置する状態でハンドル本体１の接触面１７（図６参照）に接触して、扉部３を閉位置に保持するための突起である。第１突起部３８は扉部３の後面３２側に設けられ、第２突起部３９は扉部３の前面３１側に設けられている。
【００５５】
さらに、扉部３の前面３１のうち第２突起部３９の下方には、左右方向に延びた長穴３１１が形成されている。扉部３における長穴３１１と第２突起部３９との間の部位は、扉部３の他の部位に比べて薄く、弾性変形が可能である。
【００５６】
ヒンジ部４は、扉部３が閉位置と開位置との間で回転可能となるように、扉部３を固定部材２に連結する。ヒンジ部４は、固定部材２のうち開口部２１の下側の部位と、扉部３の基端部３６とを連結する。つまり、扉部３はヒンジ部４を介して固定部材２に連結されており、扉部３は基端部３６を支点にして回転可能となる。
【００５７】
ヒンジ部４は、前後方向に貫通する貫通孔４１を有している。ヒンジ部４は、貫通孔４１の左右方向の両側に、固定部材２よりも薄い薄肉部４２を有している。薄肉部４２は、前後方向の両面が湾曲するように窪んだ形状である。とくに、薄肉部４２の前面は、薄肉部４２の後面よりも大きく窪んでいる。扉部３が閉位置と開位置との間を移動する際には、薄肉部４２が変形する。したがって、扉部３は、ヒンジ部４を中心に回転し、とくに薄肉部４２を中心に回転する。なお、図４に示すように、貫通孔４１には一対の押込部１４８のうち、下側の押込部１４８が挿入されており、この押込部１４８の先端部（後端部）は、ヒンジ部４の後面から後方に突出する。
【００５８】
ヒンジ部４は、固定部材２及び扉部３と一体に形成されている。本実施形態では、フレーム部材２０を構成する固定部材２と扉部３とヒンジ部４とは、同一の材料からなる。フレーム部材２０は、合成樹脂製であって、例えばポリプロピレン等の軟質プラスチック（non-rigid plastic）又は半硬質プラスチック（semi-rigid plastic）からなる。そのため、フレーム部材２０は、硬質プラスチックからなるハンドル本体１よりも軟質である。つまり、固定部材２と扉部３とヒンジ部４とは、いずれもハンドル本体１を構成する支持部材１４及びカバー部材１５に比べて軟質である。言い換えれば、支持部材１４及びカバー部材１５は、いずれも固定部材２、扉部３及びヒンジ部４に比べて硬質である。
【００５９】
ここでいう「硬質プラスチック」、「半硬質プラスチック」及び「軟質プラスチック」は、「ＪＩＳ  Ｋ６９００」に規定されている。つまり、「硬質プラスチップ」は、指定の条件のもとで曲げ弾性率又はもしそれが適用できない場合には引張弾性率が７００ＭＰａより大きいプラスチックである。「半硬質プラスチップ」は、同上の曲げ弾性率又は引張弾性率が７０ＭＰａと７００ＭＰａとの間にあるプラスチックである。「軟質プラスチップ」は、同上の曲げ弾性率又は引張弾性率が７０ＭＰａより大きくないプラスチックである。
【００６０】
レンズ７は、合成樹脂製であって、光透過性を有している。ここでは、レンズ７は、例えばアクリル樹脂からなり、透明のプリズムである。レンズ７は、鍔部７１と、挿入部７２と、を有している。鍔部７１と挿入部７２とは、一体に形成されている。鍔部７１は、左右方向よりも上下方向に長い長円板状である。挿入部７２は、鍔部７１の前面における上下方向の中央部から前方に突出した形状である。挿入部７２は、正面視において貫通孔１６と同じ長円形状である。ハンドル本体１の後面１２における貫通孔１６の周縁に鍔部７１が固定されることにより、レンズ７がハンドル本体１に取り付けられる。レンズ７がハンドル本体１に取り付けられた状態で、挿入部７２は貫通孔１６に挿入される。これにより、ハンドル本体１の前面１３から、レンズ７の前面が露出する。レンズ７の前面には、上下方向に延びる溝が複数本形成されている。また、レンズ７の後面には左右方向に延びる溝が複数本形成されている。これにより、レンズ７の後面に入射してレンズ７の前面から出射される光は拡散される。
【００６１】
導光部材６は、合成樹脂製であって、光透過性を有している。ここでは、導光部材６は、例えばアクリル樹脂からなり、透明のプリズムである。導光部材６は、所定方向の両端である第１端６１及び第２端６２を有している。さらに、導光部材６は、第１端６１と第２端６２とを連結する中間部６３を有している。第１端６１、第２端６２及び中間部６３は、一体に形成されている。中間部６３は、上下方向よりも左右方向に長い矩形板状である。本実施形態では、所定方向は左右方向であり、第１端６１及び第２端６２は、中間部６３の左右方向の両側に位置する。導光部材６は、第１端６１が中間部６３よりも後方に突出した形状である。また、第２端６２の上下方向の寸法は中間部６３よりも大きい。さらに、第２端６２の前面６２１には、前方に向けて突出する突出部６４が形成されている。
【００６２】
導光部材６は、扉部３の後面３２に固定されている。具体的には、導光部材６は、中間部６３が保持溝３３に嵌め込まれることにより、扉部３に取り付けられている。中間部６３の上下方向の両面のうち複数の側溝３４に対応する部位からは、複数の取付爪６５が突出している。複数の取付爪６５が複数の保持爪３５に引っ掛かることにより、中間部６３が保持溝３３内に保持される（図５Ａ参照）。これにより、導光部材６は、左右方向において第１端６１と第２端６２との間に窓部１１の少なくとも一部が位置するように、ハンドル本体１とスイッチ本体９との間に配置される。第２端６２は保持溝３３から右方に突出しており、第２端６２の前面６２１は、開口部２１内における扉部３の右側に配置される。
【００６３】
導光部材６のうち、上下方向における先端部３７側の端部、つまり上端部には、上下方向に沿って突出する第３突起部６１２が設けられている。第３突起部６１２は、第１端６１から上方に突出する形状である。第３突起部６１２は、第１突起部３８と同様に、作業者が扉部３を閉位置から開位置に移動させる際に、作業者が手指を掛けるための突起である。
【００６４】
導光部材６は、第１端６１の後面６１１に入射した光を、第２端６２の前面６２１から出射させる。第１端６１の後面６１１は、スイッチ本体９の発光部の前面（ライトカバー９５の前面）に対向する。第２端６２の前面６２１は、レンズ７の後面に対向する。したがって、スイッチ本体９の発光部が発光すれば、スイッチ本体９から出射される光は、導光部材６によって、レンズ７へと誘導される。よって、スイッチ本体９の発光部からの光はレンズ７の前面から前方へ放射されることになり、スイッチ本体９の発光部の発光状態が、ハンドル本体１の前方から視認可能となる。そのため、レンズ７は表示部として機能する。ここでいう表示部は、ハンドル本体１のうち第２端６２に対応する部位に設けられ、第２端６２の前面６２１から出射される光をハンドル本体１の前面１３から前方に出射する部位である。
【００６５】
なお、本実施形態では、複数の取付爪６５は、第１端６１、第２端６２、中間部６３及び突出部６４と一体に形成されている。ただし、複数の取付爪６５は、第１端６１の後面６１１から入射した光を第２端６２の前面６２１から出射させる、という導光部材６の本来の機能には寄与しない。よって、複数の取付爪６５は、導光部材６の構成要素には含まれない。
【００６６】
ところで、スイッチ用ハンドル１０は、導光部材６と窓部１１との間に、光を遮る遮光部材を更に備えることが好ましい。本実施形態では、フレーム部材２０は、顔料が混入された不透明の材料からなる。そのため、フレーム部材２０のうち、導光部材６と窓部１１との間に位置する扉部３が、遮光部材を兼ねている。扉部３は、導光部材６（複数の取付爪６５を除く）のうち窓部１１の後面１１１と対向する部位を完全に覆っている。そのため、導光部材６から漏れた光は遮光部材としての扉部３で遮断され、窓部１１を通したハンドル本体１の前面１３側への漏光が抑制される。
【００６７】
次に、スイッチ用ハンドル１０の扉部３の回転動作について、図５Ａ、図５Ｂ及び図６を参照して説明する。
【００６８】
扉部３が閉位置に位置する状態では、図５Ａに示すように、窓部１１の後面１１１と扉部３の前面３１との間に、ラベル収納空間５が存在する。ラベル収納空間５には、ネームカード５１が収納される。ネームカード５１は、窓部１１の後面１１１と扉部３の前面３１との間に挟まれた状態で、ラベル収納空間５に保持される。この状態で、スイッチ用ハンドル１０はスイッチ本体９に取り付けられる。したがって、スイッチ用ハンドル１０がスイッチ本体９に取り付けられたスイッチ１００の使用時においては、窓部１１の後方にあるネームカード５１に表記された情報を窓部１１の前方から視認できる。
【００６９】
作業者が扉部３を閉位置から開位置に移動させる場合、スイッチ用ハンドル１０がスイッチ本体９に取り付けられていない状態で、作業者は、扉部３の第１突起部３８又は導光部材６の第３突起部６１２に手指を掛け、扉部３の先端部３７を後方に引く。これにより、ヒンジ部４の薄肉部４２が変形し、扉部３が基端部３６を支点に回転して、扉部３が閉位置から開位置に移動（回転）する。扉部３が開位置に位置する状態では、図５Ｂに示すように、ラベル収納空間５は後面が開放された空間となる。したがって、スイッチ用ハンドル１０がスイッチ本体９から取り外され、かつ扉部３が開位置に位置する状態では、ラベル収納空間５に対するネームカード５１の出し入れが可能になる。
【００７０】
また、扉部３が開位置に位置する状態では、凹所１４６の内周面に設けられた複数の仮保持突起１４７が、ネームカード５１の外周縁に引っ掛かることにより、ネームカード５１は凹所１４６内に仮保持される。そのため、作業者は、扉部３を開けたまま、ラベル収納空間５にネームカード５１を設置することができ、ネームカード５１を取り付ける作業性が向上する。しかも、扉部３は下端部（基端部３６）を支点に回転するので、扉部３が開位置に位置する状態で、凹所１４６の下方に扉部３が位置することになる。したがって、ラベル収納空間５に対するネームカード５１の出し入れの際、作業者は、扉部３の前面３１をガイドに用いてネームカード５１の出し入れを行うことができ、作業性が向上する。
【００７１】
作業者が扉部３を開位置から閉位置に移動させる場合、スイッチ用ハンドル１０がスイッチ本体９に取り付けられていない状態で、作業者は、扉部３の先端部３７を前方に押し込む。これにより、ヒンジ部４の薄肉部４２が変形し、扉部３が基端部３６を支点に回転して、扉部３が開位置から閉位置に移動（回転）する。このとき、扉部３の回転に伴って、第２突起部３９がハンドル本体１の接触面１７に接触し、扉部３が更に回転することで、図６に示すように、第２突起部３９が接触面１７に押し付けられる。これにより、長穴３１１と第２突起部３９との部位が弾性変形する。したがって、扉部３が閉位置に位置する状態では、第２突起部３９が接触面１７に押し付けられ、第２突起部３９と接触面１７との間の摩擦力が大きくなる。その結果、いわゆるスナップフィット構造により、扉部３は閉位置に保持される。
【００７２】
また、扉部３が移動（回転）すれば、扉部３の後面３２に固定されている導光部材６も、扉部３と一緒に移動する。ここで、導光部材６の長手方向、つまり導光部材６の第１端６１及び第２端６２が並ぶ所定方向と、扉部３の回転時の径方向、つまり扉部３の基端部３６及び先端部３７が並ぶ規定方向とは、互いに直交する。要するに、本実施形態では、所定方向は左右方向であって、規定方向は上下方向であるので、所定方向と規定方向とは互いに直交する。そのため、扉部３が回転する際、扉部３の後面３２に固定されている導光部材６は、第１端６１及び第２端６２のいずれもがハンドル本体１から離れる向きに移動する。よって、導光部材６がハンドル本体１と干渉することなく、扉部３は回転可能である。なお、ここでいう「直交」は、厳密に９０度で交わる状態だけでなく、ある程度の誤差の範囲内で略直交する状態も含む意味である。
【００７３】
（２．３）スイッチ本体の内部構成
次に、スイッチ本体９の器体９４の内部の構成（スイッチ本体９の内部構成）について、図７を参照して説明する。
【００７４】
スイッチ本体９は、接点９０１、第１光源９０２及び第２光源９０３に加えて、抵抗９０４、ダイオード９０５及び電流トランス９０６を有している。第１光源９０２及び第２光源９０３はそれぞれＬＥＤ（Light Emitting Diode）である。第１光源９０２及び抵抗９０４は電気的に直列に接続されている。第１光源９０２及び抵抗９０４の直列回路は、接点９０１と電気的に並列に接続されている。電流トランス９０６の一次巻線は接点９０１と電気的に直列に接続されている。電流トランス９０６の二次巻線の両端間には、第２光源９０３及びダイオード９０５が電気的に並列に接続されている。第２光源９０３及びダイオード９０５は電流トランス９０６の二次巻線に対して互いに逆向きに接続されている。第１光源９０２と第２光源９０３とは互いに発光色が異なる。一例として、第１光源９０２の発光色は白色、第２光源９０３の発光色は赤色である。
【００７５】
上記構成により、接点９０１がオフであれば、第１光源９０２及び抵抗９０４の直列回路に電流が流れて、第１光源９０２が点灯し、スイッチ本体９の発光部が白色に発光する。一方、接点９０１がオンであれば、第２光源９０３に電流が流れて第２光源９０３が点灯し、スイッチ本体９の発光部が赤色に発光する。つまり、負荷の通電状態によって、第１光源９０２又は第２光源９０３の点灯状態が変化し、スイッチ本体９の発光部の発光状態（例えば発光色）が変化する。
【００７６】
（２．４）スイッチの取付構造
次に、スイッチ１００を壁に取り付けるための構造（スイッチ１００の取付構造）の一例について、図８を参照して説明する。図８では、同じ構成のスイッチ１００が３個、上下方向に並べて配置された状態を図示している。
【００７７】
スイッチ１００は、上述したように取付枠８１を用いて壁に取り付けられる。取付枠８１には、プレート枠８２及びプレートカバー８３が取り付けられる。つまり、スイッチ１００の取付構造は、取付枠８１、プレート枠８２及びプレートカバー８３を含んでいる。
【００７８】
取付枠８１は、合成樹脂製又は金属製である。取付枠８１は、取付孔８１１を有する矩形枠状である。取付孔８１１は、左右方向よりも上下方向に長い長方形状である。取付孔８１１の形状及び大きさは、スイッチ本体９を上下方向に３個並べた場合の３個のスイッチ本体９の前面９１と略同じである。
【００７９】
取付枠８１のうち、取付孔８１１の左右方向の両側の部位には、それぞれ取付枠８１にてスイッチ本体９を保持するための引掛孔８１２が形成されている。これにより、スイッチ本体９は、取付枠８１の取付孔８１１内に装着された状態で、引掛爪９７が引掛孔８１２に嵌って取付枠８１に保持される。
【００８０】
取付枠８１のうち、取付孔８１１の上下方向の両側の部位には、それぞれ取付枠８１を壁に固定するためのねじを通す固定孔８１３が形成されている。さらに、各固定孔８１３に対して取付孔８１１とは反対側には、プレート枠８２を取付枠８１に固定するためのねじ孔８１４が形成されている。
【００８１】
プレート枠８２は、合成樹脂製である。プレート枠８２は、第１開口孔８２１を有する矩形枠状である。プレート枠８２のうち、第１開口孔８２１の上下方向の両側の部位には、それぞれプレート枠８２を取付枠８１に固定するためのねじを通す透孔８２２が形成されている。プレート枠８２のうち、第１開口孔８２１の左右方向の両側の部位には、それぞれプレート枠８２にプレートカバー８３を固定するための孔８２３が形成されている。
【００８２】
プレートカバー８３は、合成樹脂製である。プレートカバー８３は、第２開口孔８３１を有する矩形枠状である。プレートカバー８３は、プレート枠８２の前面を覆うようにプレート枠８２に取り付けられる。プレートカバー８３の後面には、後方に突出する引掛突起が形成されている。引掛突起がプレート枠８２の孔８２３の周囲に引っ掛かることにより、プレートカバー８３がプレート枠８２に保持される。
【００８３】
上述したスイッチ１００の取付構造により、スイッチ本体９を保持した状態の取付枠８１が壁に固定されることで、スイッチ１００は壁に取り付けられる。スイッチ１００が壁に取り付けられた状態では、スイッチ本体９の少なくとも一部は壁内に埋め込まれ、スイッチ本体９の前面９１が取付枠８１の取付孔８１１から前方に露出する。スイッチ本体９に取り付けられたスイッチ用ハンドル１０は、プレートカバー８３の第２開口孔８３１から前方に露出する。
【００８４】
（３）利点
以上説明した本実施形態に係るスイッチ用ハンドル１０は、ハンドル本体１と、固定部材２と、扉部３と、ヒンジ部４と、を備えている。ハンドル本体１は、スイッチ本体９の前面９１を覆うようにスイッチ本体９に取り付けられる。ハンドル本体１は、少なくとも一部に光透過性の窓部１１を有する。固定部材２は、ハンドル本体１の後面１２に固定される。ヒンジ部４は、固定部材２及び扉部３と一体に形成されている。ヒンジ部４は、閉位置と開位置との間で扉部３が回転可能となるように、扉部３を固定部材２に連結する。閉位置は、扉部３が窓部１１の後面１１１を覆う位置である。開位置は、扉部３が窓部１１の後面１１１を覆わない位置である。
【００８５】
この構成によれば、窓部１１の後面１１１を覆う閉位置と窓部１１の後面１１１を覆わない開位置との間で回転可能な扉部３が、ヒンジ部４によって固定部材２に連結されている。ここで、固定部材２、扉部３及びヒンジ部４は一体に形成されている。要するに、固定部材２と扉部３とを繋ぐヒンジ部４が変形することによって、固定部材２に対して扉部３が回転可能になる。したがって、スイッチ用ハンドル１０においては、多少の寸法誤差が生じたとしても、軸体が軸受部に嵌め込まれる構造に比較して、ハンドル本体１から扉部３が外れにくく、ハンドル本体１に対する扉部３のがたつきが生じにくい。その結果、扉部３を備えているにもかかわらず品質の向上したスイッチ用ハンドル１０が得られる、という利点がある。
【００８６】
また、本実施形態のように、ハンドル本体１は、支持部材１４と、カバー部材１５と、を有することが好ましい。支持部材１４は、窓孔１４１を有し、スイッチ本体９に取り付けられる。カバー部材１５は、窓孔１４１を覆う光透過性の部位を有し、支持部材１４の前面に配置される。この場合に、支持部材１４の後面は、ハンドル本体１の後面１２であり、窓孔１４１は、窓部１１に位置することが好ましい。この構成によれば、ハンドル本体１が、支持部材１４及びカバー部材１５の２部材を有しているので、ハンドル本体１の中でも部分的に異なる材料を適用可能である。ただし、ハンドル本体１が、支持部材１４及びカバー部材１５の２部材を有することはスイッチ用ハンドル１０に必須の構成ではなく、ハンドル本体１は、１部材で構成されていてもよい。
【００８７】
また、本実施形態のように、扉部３が閉位置に位置する状態で、窓部１１の後面１１１と扉部３の前面３１との間にはラベル収納空間５が存在することが好ましい。この構成によれば、扉部３が閉位置に位置する状態で、ラベル収納空間５にネームカード５１が収納可能となる。ただし、ラベル収納空間５が存在することはスイッチ用ハンドル１０に必須の構成ではなく、ラベル収納空間５が存在しなくてもよい。
【００８８】
また、本実施形態のように、扉部３は、規定方向の両端部である基端部３６及び先端部３７を有していることが好ましい。この場合、ヒンジ部４は、扉部３の基端部３６に設けられており、扉部３の先端部３７には、基端部３６から離れる向きに突出する突起部（第１突起部３８）が設けられていることが好ましい。この構成によれば、作業者が扉部３を閉位置から開位置に移動させる際に、作業者が第１突起部３８に手指を掛けることができ、扉部３を開く作業が簡単になる。ただし、第１突起部３８はスイッチ用ハンドル１０に必須の構成ではなく、第１突起部３８は省略されていてもよい。
【００８９】
また、本実施形態に係るスイッチ１００は、上記スイッチ用ハンドル１０と、スイッチ本体９と、を備えている。この構成によれば、スイッチ１００においては、扉部３を備えているにもかかわらず品質の向上したスイッチ１００が得られる、という利点がある。
【００９０】
また、本実施形態に係るスイッチ用ハンドル１０は、ハンドル本体１と、扉部３と、導光部材６と、表示部（レンズ７）と、を備えている。ハンドル本体１は、スイッチ本体９の前面９１を覆うようにスイッチ本体９に取り付けられる。ハンドル本体１は、少なくとも一部に光透過性の窓部１１を有する。扉部３は、窓部１１の後面１１１を覆う閉位置と窓部１１の後面１１１を覆わない開位置との間で回転可能となるように、ハンドル本体１に取り付けられる。導光部材６は、所定方向の両端である第１端６１及び第２端６２を有している。導光部材６は、所定方向において第１端６１と第２端６２との間に窓部１１の少なくとも一部が位置するようにハンドル本体１とスイッチ本体９との間に配置される。導光部材６は、扉部３が閉位置に位置する状態で、第１端６１の後面６１１に入射した光を第２端６２の前面６２１から出射させる。表示部は、ハンドル本体１のうち第２端６２に対応する部位に設けられている。表示部は、第２端６２の前面６２１から出射される光をハンドル本体１の前面１３から前方に出射する。
【００９１】
この構成によれば、スイッチ用ハンドル１０が窓部１１及び扉部３を有するので、スイッチ用ハンドル１０には、対応する回路を特定するための情報が表記されたネームカード５１を取り付けることができる。したがって、対応する回路をユーザが容易に特定可能なスイッチ用ハンドル１０が得られる、という利点がある。しかも、スイッチ用ハンドル１０においては、スイッチ本体９に設けられている発光部からの光を、導光部材６によって第１端６１の後面６１１から第２端６２の前面６２１に導くことができる。ここで、所定方向において第１端６１と第２端６２との間には、窓部１１の少なくとも一部が位置する。要するに、導光部材６は、窓部１１の少なくとも一部を跨いで、スイッチ本体９に設けられている発光部からの光をスイッチ用ハンドル１０の表示部へと導く。したがって、スイッチ本体９の発光部が、スイッチ本体９の前面９１における軸受部１４３と同じ側に設けられていても、扉部３を挟んで軸受部１４３とは反対側に表示部が配置可能である。そのため、ユーザは、スイッチ用ハンドル１０を押操作する際、ハンドル本体１のうち扉部３に対して表示部と同じ側の一端部を押操作することができ、直感的な操作が可能になる。その結果、扉部３を備えているにもかかわらず直感的な操作が容易なスイッチ用ハンドル１０が得られる、という利点がある。
【００９２】
また、本実施形態のように、第２端６２の前面６２１には、前方に向けて突出する突出部６４が形成されていることが好ましい。この構成によれば、前面６２１と表示部（レンズ７）との間の隙間が突出部６４の分だけ小さくなり、第２端６２の前面６２１と表示部との間の漏光が抑制される。ただし、突出部６４はスイッチ用ハンドル１０に必須の構成ではなく、突出部６４は省略されていてもよい。
【００９３】
また、本実施形態のように、導光部材６は、扉部３が閉位置に位置する状態で扉部３の後面３２に固定されていることが好ましい。この構成によれば、扉部３と共に導光部材６が移動するので、扉部３と導光部材６との干渉が回避される。さらに、扉部３が開位置に位置する状態でのネームカード５１の出し入れ時において、導光部材６が邪魔になりにくい。ただし、導光部材６が扉部３の後面３２に固定されていることはスイッチ用ハンドル１０に必須の構成ではなく、導光部材６は、扉部３の後面３２に固定されていなくてもよい。
【００９４】
また、本実施形態のように、扉部３は、遮光性を有し、扉部３が閉位置に位置する状態で、導光部材６のうち窓部１１の後面１１１と対向する部位を覆ってもよい。この構成によれば、導光部材６から漏れた光は扉部３で遮断され、窓部１１を通したハンドル本体１の前面１３側への漏光が抑制される。ただし、扉部３が遮光性を有することはスイッチ用ハンドル１０に必須の構成ではなく、扉部３は光透過性を有していてもよい。
【００９５】
また、本実施形態のように、扉部３は、規定方向の両端部である基端部３６及び先端部３７を有しており、閉位置と開位置との間で基端部３６を中心に回転することが好ましい。この場合、導光部材６の規定方向における先端部３７側の端部には、規定方向に沿って突出する突起部（第３突起部６１２）が設けられていることが好ましい。この構成によれば、作業者が扉部３を閉位置から開位置に移動させる際に、作業者が第３突起部６１２に手指を掛けることができ、扉部３を開く作業が簡単になる。ただし、第３突起部６１２はスイッチ用ハンドル１０に必須の構成ではなく、第３突起部６１２は省略されていてもよい。
【００９６】
また、本実施形態のように、所定方向と規定方向とは互いに直交することが好ましい。この構成によれば、扉部３が回転する際、扉部３の後面３２に固定されている導光部材６は、第１端６１及び第２端６２のいずれもがハンドル本体１から離れる向きに移動する。よって、導光部材６がハンドル本体１と干渉することなく、扉部３は回転可能である。ただし、所定方向と規定方向とが互いに直交することはスイッチ用ハンドル１０に必須の構成ではなく、所定方向と規定方向とは互いに直交していなくてもよい。
【００９７】
また、本実施形態に係るスイッチ１００は、上記スイッチ用ハンドル１０と、スイッチ本体９と、を備えている。この構成によれば、対応する回路をユーザが容易に特定可能なスイッチ１００が得られる、という利点がある。
【００９８】
また、本実施形態に係るスイッチ用ハンドル１０は、ハンドル本体１と、固定部材２と、扉部３と、ヒンジ部４と、を備えている。ハンドル本体１は、スイッチ本体９の前面９１を覆うようにスイッチ本体９に取り付けられる。ハンドル本体１は、少なくとも一部に光透過性の窓部１１を有する。固定部材２は、開口部２１を有し、窓部１１を開口部２１から露出させるようにハンドル本体１の後面１２に固定される。ヒンジ部４は、閉位置と開位置との間で扉部３が回転可能となるように、扉部３を固定部材２に連結する。閉位置は、扉部３が窓部１１の後面１１１を覆う位置である。開位置は、扉部３が窓部１１の後面１１１を覆わない位置である。固定部材２は、ハンドル本体１よりも軟質である。
【００９９】
この構成によれば、扉部３は、ハンドル本体１に直接的に取り付けられるのではなく、ヒンジ部４及び固定部材２を介して、ハンドル本体１に取り付けられている。固定部材２は、窓部１１を開口部２１から露出させるようにハンドル本体１の後面１２に固定されるので、窓部１１の周囲における比較的広範囲においてハンドル本体１に固定可能である。しかも、固定部材２はハンドル本体１よりも軟質であるので、固定部材２の多少の寸法誤差は固定部材２が変形することで吸収できる。そのため、固定部材２に寸法誤差が生じても、ハンドル本体１に対する固定部材２の取付強度の低下が抑制される。したがって、スイッチ用ハンドル１０においては、ハンドル本体１に対する扉部３の取付強度が向上する、という利点がある。
【０１００】
また、本実施形態のように、固定部材２と扉部３とヒンジ部４とは一体に形成され、ヒンジ部４は、ハンドル本体１よりも軟質であって固定部材２よりも薄い薄肉部４２を有することが好ましい。この構成によれば、固定部材２から扉部３が外れにくいので、ハンドル本体１に対する扉部３の取付強度がより向上する。しかも、ヒンジ部４の薄肉部４２が変形することによって、扉部３が閉位置と開位置との間を移動するので、ハンドル本体１に対する扉部３のがたつきが生じにくい。ただし、ヒンジ部４がハンドル本体１よりも軟質であることはスイッチ用ハンドル１０に必須の構成ではなく、ヒンジ部４はハンドル本体１よりも軟質でなくてもよい。
【０１０１】
また、本実施形態のように、扉部３はハンドル本体１よりも軟質であることが好ましい。この構成によれば、扉部３が閉位置に位置する状態で、扉部３の一部（第２突起部３９）がハンドル本体１の一部（接触面１７）に押し付けられることで、スナップフィット構造により扉部３が閉位置に保持される。すなわち、扉部３がハンドル本体１よりも軟質であるから、スナップフィット構造を実現するための扉部３及びハンドル本体１の寸法精度に余裕が生じる。さらに、スナップフィット構造を採用することで、扉部３とハンドル本体１との間の結合力を一定以上に確保しつつ、扉部３の開閉が繰り返されることに対する耐久性が向上する。ただし、扉部３がハンドル本体１よりも軟質であることはスイッチ用ハンドル１０に必須の構成ではなく、扉部３はハンドル本体１よりも軟質でなくてもよい。
【０１０２】
また、本実施形態のように、スイッチ用ハンドル１０は、導光部材６と、表示部（レンズ７）と、を更に備え、導光部材６は、扉部３が閉位置に位置する状態で扉部３の後面３２に固定されていることが好ましい。この構成によれば、扉部３と共に導光部材６が移動するので、扉部３と導光部材６との干渉が回避される。とくに、固定部材２と扉部３とヒンジ部４とが一体に形成され、かつ固定部材２、扉部３及びヒンジ部４のいずれもがハンドル本体１よりも軟質である場合、扉部３が閉位置に位置する状態で、表示部に対する導光部材６の位置ずれが生じにくい。すなわち、この場合、ハンドル本体１に対する扉部３のがたつきが生じにくいので、表示部に対する導光部材６の位置ずれが生じにくい。
【０１０３】
また、本実施形態のように、固定部材２は、ハンドル本体１の後面１２に設けられた３つ以上の結合部１４９にて、ハンドル本体１の後面１２に固定されており、３つ以上の結合部１４９は一直線上に並ばないように配置されていることが好ましい。この構成によれば、固定部材２は、ハンドル本体１の後面１２に沿う複数の方向に分散して配置された結合部１４９にて、ハンドル本体１の後面１２に固定されるので、ハンドル本体１に対する扉部３の取付強度がより向上する。本実施形態では、左右方向と上下方向との２方向に並ぶ複数の結合部１４９にて固定部材２がハンドル本体１の後面１２に固定されるので、左右方向と上下方向との２方向に対して固定部材２のがたつきが生じにくい。ただし、複数の結合部１４９が一直線上に並ばないことはスイッチ用ハンドル１０に必須の構成ではなく、複数の結合部１４９が一直線上に並んでいてもよい。
【０１０４】
また、本実施形態に係るスイッチ１００は、上記スイッチ用ハンドル１０と、スイッチ本体９と、を備えている。この構成によれば、スイッチ１００においては、ハンドル本体１に対する扉部３の取付強度が向上する、という利点がある。
【０１０５】
（４）変形例
上記実施形態は、本発明に係る技術的思想を逸脱しない範囲であれば、設計等に応じて種々の変更が可能である。つまり、本発明は、上記実施形態に限定されない。
【０１０６】
以下に、上記実施形態の変形例を列挙する。
【０１０７】
スイッチ１００は、ピアノハンドル式スイッチに限らず、例えばロッカー式（シーソー式）スイッチであってもよい。また、スイッチ１００は、片切りスイッチに限らず、例えば三路スイッチ又は四路スイッチであってもよい。
【０１０８】
また、スイッチ本体９は、接点９０１のオン／オフに応じてスイッチ本体９の発光部の発光状態が変化する構成に限らず、負荷の動作状態に応じてスイッチ本体９の発光部の発光状態が変化する構成であってもよい。例えば、負荷が調光可能な照明器具である場合に、照明器具の調光レベルに応じてスイッチ本体９の発光部の発光状態が変化してもよい。又は、スイッチ本体９は、光源を１つのみ有し、接点９０１のオン／オフに応じて、光源の点灯／消灯が切り替える構成であってもよい。
【０１０９】
また、スイッチ用ハンドル１０は、１個の取付枠８１にスイッチ本体９が３個取り付けられる場合に用いられる、いわゆるトリプルスイッチ用に限らない。例えば１個の取付枠８１にスイッチ本体９が１個取り付けられる場合に用いられるシングルスイッチ用、又は１個の取付枠８１にスイッチ本体９が２個取り付けられる場合に用いられるダブルスイッチ用であってもよい。シングルスイッチ用であれば、上記一実施形態で例示したトリプルスイッチ用のスイッチ用ハンドル１０に比較して、上下方向の寸法が略３倍になる。ダブルスイッチ用であれば、上記一実施形態で例示したトリプルスイッチ用のスイッチ用ハンドル１０に比較して、上下方向の寸法が略３／２倍になる。
【０１１０】
また、扉部３と導光部材６とは一体に形成されていてもよい。言い換えれば、扉部３が、導光部材６としての機能を兼ねてもよい。この構成によれば、扉部３と導光部材６とが別体である場合に比べて、部品点数が少なくなる。
【０１１１】
また、スイッチ用ハンドル１０は、導光部材６と窓部１１との間に配置され、光を遮る遮光部材を更に備えていてもよい。遮光部材は、例えば遮光性を有する合成樹脂製のシートである。要するに、扉部３とは別に、遮光部材が設けられていてもよい。この構成によれば、扉部３が遮光部材として機能する場合と同様に、導光部材６から漏れた光は遮光部材で遮断され、窓部１１を通したハンドル本体１の前面１３側への漏光が抑制される。この場合、扉部３は遮光性を有していなくてもよい。
【０１１２】
また、導光部材６の長手方向、つまり導光部材６の第１端６１及び第２端６２が並ぶ所定方向と、扉部３の回転時の径方向、つまり扉部３の基端部３６及び先端部３７が並ぶ規定方向とは、同じ方向であってもよい。例えば、所定方向と規定方向とがいずれも左右方向であってもよい。この場合、扉部３は、左右方向の両端部が基端部３６及び先端部３７となる。ヒンジ部４は、扉部３の左右方向の一端部（基端部３６）と、固定部材２のうち開口部２１の左右方向の一方側の部位とを連結する。
【０１１３】
また、第１端６１の後面６１１は、スイッチ本体９の発光部の前面であるライトカバー９５の前面と平行でなくてもよく、ライトカバー９５の前面に対して傾斜していてもよい。第２端６２の前面６２１は、レンズ７の後面と平行でなくてもよく、レンズ７の後面に対して傾斜していてもよい。
【０１１４】
また、レンズ７は省略されていてもよい。この場合、ハンドル本体１の貫通孔１６が、表示部として機能する。つまり、第２端６２の前面６２１から出射される光は、貫通孔１６を通してハンドル本体１の前面１３から前方に出射されることになる。
【０１１５】
また、導光部材６は、扉部３の後面３２ではなく、例えば固定部材２の後面又はハンドル本体１の後面１２に直接的に固定されていてもよい。この場合、扉部３が移動（回転）しても導光部材６は移動しない。
【０１１６】
また、導光部材６は省略されていてもよい。例えば、発光部を有しないスイッチ本体９に取り付けられるスイッチ用ハンドル１０においては、導光部材６は不要である。この場合、レンズ７及び貫通孔１６も省略される。
【０１１７】
また、ヒンジ部４は、固定部材２及び扉部３と一体に形成されていなくてもよく、例えば、扉部３が、ハンドル本体１に直接的に取り付けられていてもよい。この場合、例えばヒンジ部４又は軸受構造によって、扉部３がハンドル本体１に回転可能に取り付けられる。又は、上記実施形態と同様の形状のヒンジ部４、固定部材２及び扉部３が、別部材で構成されていてもよい。
【符号の説明】
【０１１８】
１  ハンドル本体
２  固定部材
３  扉部
４  ヒンジ部
６  導光部材
７  レンズ（表示部）
９  スイッチ本体
１０  スイッチ用ハンドル
１１  窓部
１２  後面
１３  前面
２１  開口部
３２  後面
４２  薄肉部
６１  第１端
６２  第２端
９１  前面
１００  スイッチ
１４９  結合部
１１１  後面
６１１  後面
６２１  前面
【図１】
0006569984.tif 000002
【図２】
0006569984.tif 000003
【図３】
0006569984.tif 000004
【図４】
0006569984.tif 000005
【図５】
0006569984.tif 000006
【図６】
0006569984.tif 000007
【図７】
0006569984.tif 000008
【図８】
0006569984.tif 000009